(57)【要約】【課題】  この発明は、消波コンクリートブロック等を格子枠によって安定支持し、強固な基礎敷設体を得ることを目的としたものである。【解決手段】  この発明は、鋼材又は鉄筋コンクリート等の耐剪断力及び拡張力の大きい材料により構成した格子枠内へコンクリートブロック又は石等の消波材を据付ける方法において、前記消波材の下部を、前記格子枠の構成材で３点以上の各点で支持させることを特徴とした消波ブロックの支持方法により目的を達成した。【選択図】      図１
2005179909.tif 000002
【特許請求の範囲】
【請求項１】
鋼材又は鉄筋コンクリート等の耐剪断力及び拡張力の大きい材料により構成した格子枠内へコンクリートブロック又は石等の消波材を据付ける方法において、前記消波材の下部を、前記格子枠の構成材で３点以上支持させることを特徴とした消波ブロックの支持方法。
【請求項２】
鋼材又は鉄筋コンクリート等の耐剪断力及び拡張力の大きい材料により構成した格子枠内へコンクリートブロック又は石等の消波材を据付けた消波ブロック支持装置において、前記格子枠内に、前記消波材の下面を３点以上の各点で支持すべく、前記消波材の形状に対応して支持材の位置を設定して配置した格子枠を構成し、該格子枠に前記消波材を装入設置したことを特徴とする消波ブロック支持装置。
【請求項３】
鋼材又は鉄筋コンクリート等の耐剪断力及び拡張力の大きい材料により構成した格子枠内に、設置すべき各消波材の下面を３点以上の各点で支持できる支持材を固定したことを特徴とする消波ブロック支持用の格子枠。
【請求項４】
格子枠の支持材は、上下段差を設けたことを特徴とする請求項３記載の消波ブロック支持用の格子枠。
【発明の詳細な説明】
【技術分野】
【０００１】
この発明は、コンクリートブロック等を使用した消波堤防等（消波護岸も含む）におけるコンクリートブロックの安定支持を目的とした消波ブロックの支持方法及び支持装置並びに支持用の格子枠に関する。
【背景技術】
【０００２】
従来消波堤防等（消波堤防及び護岸）は、コンクリート堤防の前面に消波ブロックを積み上げ、又はコンクリート基礎上へ消波コンクリートブロック又は石を積み上げて消波堤防を構築していた。
【０００３】
また出願人は消波ブロックを収容設置する格子枠を開発し、前記消波堤防の基礎を築くことを提案し、実施化されている。
【０００４】
従来の格子枠には、図３のようにＨ型鋼１、２、３により形成した格子枠体へ、溝型鋼４ａ、４ａを並列固定して格子枠を構成してある。
【０００５】
従って消波ブロック６を積み上げる際には、図４のように、消波ブロック６は格子枠１０により、Ｐ１、Ｐ２の２点で支持されている。
【特許文献１】特開平７−３７３９
【特許文献２】特開平９−３２８７３２
【発明の開示】
【発明が解決しようとする課題】
【０００６】
前記コンクリート基礎上へ消波ブロックを構築した消波堤防は、コンクリート基礎が長年月に亘り強力な暴波風等を受けることにより、崩壊又は沈降して、十数年の間に消波等の目的を達成できなくなる問題点があった。
【０００７】
また前記出願人の開発した格子枠を使用した消波堤防は、暴波風に耐え崩壊することがなく、多大の成果を上げているが、基礎部分における格子枠によるコンクリートブロック等の支持について、更に安定化を図り、永久構築物とする為の改善が要請されている。
【課題を解決するための手段】
【０００８】
この発明は、格子枠を用いて、コンクリートブロック等をその重心との関係で、安定性のよい位置において、３点以上の各点で支持することにより、前記従来の問題点及び改善点を解決したのである。
【０００９】
然して前記各支持点は、重心の直下より外側に位置させると共に、可及的に各点の間隔を大きくとって安定性を更に向上している。
【００１０】
即ち方法の発明は、鋼材又は鉄筋コンクリート等の耐剪断力及び拡張力の大きい材料により構成した格子枠内へコンクリートブロック又は石等の消波材を据付ける方法において、前記消波材の下部を、前記格子枠の構成材で３点以上支持させることを特徴とした消波ブロックの支持方法である。
【００１１】
また装置の発明は、鋼材又は鉄筋コンクリート等の耐剪断力及び拡張力の大きい材料により構成した格子枠内へコンクリートブロック又は石等の消波材を据付けた消波ブロック支持装置において、前記格子枠内に、前記消波材の下面を３点以上の各点で支持すべく、前記消波材の形状に対応して支持材の位置を設定して配置した格子枠を構成し、該格子枠に前記消波材を装入設置したことを特徴とする消波ブロック支持装置である。
【００１２】
次に格子枠の発明は、鋼材又は鉄筋コンクリート等の耐剪断力及び拡張力の大きい材料により構成した格子枠内に、設置すべき各消波材の下面を３点以上の各点で支持できる支持材を固定したことを特徴とする消波ブロック支持用の格子枠であり、格子枠の支持材は、上下段差を設けたものである。
【００１３】
前記発明においては、既製の消波材を支持させる為に、格子枠の支持材（構成材）に工夫を加える場合と、格子枠を適宜設計し、これに合致する消波材を製造する場合とがあるが、前記消波材の構造とその消波能については研究が進んでいるので、格子枠を改造するのが容易である。
【００１４】
この発明の支持方法による消波堤防において、使用消波材の悉くをこの発明の方法により支持しなくても十分効力が見込まれる場合には、一部従来支持が混在することを妨げない。
【００１５】
例えば消波材としてコンクリートブロックのみを用いれば、予め設計した格子枠で、設計通りの支持ができるが、一部自然石を使用する場合には必ずしも３点〜４点支持ができない場合がある。
【００１６】
このような場合であっても、格子枠の周囲がこの発明の支持方法（３点〜４点支持）であれば、内側に若干の２点支持があっても支障はない。
【００１７】
同様に、３点、４点支持の間に２点支持が点在しても、全支持の状態がアンバランスにならない限り支障はない。何故ならば、各消波材が互いに絡み合って、相互に単独の移動ができないからである。
【００１８】
この発明における鋼材とは、溝型鋼、山型鋼、Ｈ型鋼、Ｉ型鋼など、従来格子枠に使用されている総ての鋼材を含むものである。
【００１９】
この発明における支持点は、重心より低位にあることが多いが、一部重心と同等又は多少高位にあることを妨げない。
【００２０】
また各支持点の配置は、各点に掛かる重さにバランスがとれるよう配慮することが必要である。例えば、４点支持の場合に、各点を消波材の下面の前後左右にバランスよく配置し、外力（波浪の力）を均等に受け止めるように配慮する。
【００２１】
即ち支持点の自重支持バランスと、外力を受けた際の支持バランスを考慮しなければならない。
【発明の効果】
【００２２】
この発明によれば、消波材を３点以上で支持させるので、コンクリートブロック又は石などの消波材が波浪によって揺動することが少なく、常時設置角度（姿勢）を一定に保つことができる効果がある。これにより基礎中で最も重要な最下層部の安定性を確保できるので、合理的かつ永久的消波防波堤を容易に構築することができる効果がある。
【００２３】
この発明によれば、構成が合理的であるから最小の材料によって消波目的を達成し得ると共に、半永久的構築物として著しく安価となる。
【００２４】
また予め製造された格子枠へ消波材を順次載置すれば完成するので、作業性がきわめて良好であって、一部水中設置でも正確な構築ができるので、工期の短縮の面からも、工費の大幅な低廉化ができる効果もある。
【発明を実施するための最良の形態】
【００２５】
この発明は、鋼材により構成した格子枠の底部へ、コンクリートブロック等の各消波材を３点以上の各点で支持するように支持材を固定すれば、この発明の格子枠が完成する。前記格子枠を海岸の所定場所へ配置し、格子枠内へ前記消波材を設計とおりの位置に収容設置すれば、この発明の消波堤防の基礎の消波ブロック支持装置が出来あがる。
【００２６】
前記格子枠は、コンクリートブロック等の形状、寸法により大幅に異なる形状となるが、消波コンクリートブロックについては、大凡形状、寸法が一定しているので、標準形を推定し、標準仕様を作っておき、実設計時に修正すれば目的を容易に達成できる。
【００２７】
前記において、主要コンクリートブロックについて、前記支持を行えば、各コンクリートブロック間の隙間に石材その他を無為に充填しても、基礎の性能（効果）に変化はない。
【実施例１】
【００２８】
この発明の格子枠の実施例を図１について説明する。長さ１０ｍのＨ型鋼１を横材とし、長さ１２ｍのＨ型鋼２を縦材としての矩形枠を作り、前記横材と平行して、３本の等長のＨ型鋼３、３を等間隔に配置固定して、格子枠体５とすると共に、前記縦材と平行にして、１４本の等長の溝型鋼４（全体を言う場合は４とする）を、コンクリートブロック６の下面４点を支持できるような寸法に配置固着（溶接、ボルト締め）し、この発明の格子枠１０を構成した。前記溝型鋼４ａ、４ｂ・・・・・４ｎの間隔を適宜設定するが、各コンクリートブロックの少なくとも最外部の支持点Ｐ１、Ｐ４の間隔は、コンクリートブロック６の全幅Ｗ０（設置姿勢の幅）の６０％以上の幅Ｗ１であって、その幅Ｗ１の中央部付近に、重心０が配置され、重心０の高Ｈは、少なくとも幅Ｗ１より小さいほうが望ましい。
【００２９】
前記支持点Ｐ１、Ｐ２又はＰ３、Ｐ４の高さの差を大きく取りたい場合には、Ｈ型鋼１又は２の高さを大きくするか、Ｈ型鋼１、１ａと、上下２本重ねて用いる（図２（ｂ））。
【００３０】
前記支持によれば、図２（ａ）中矢示７、８、９のように波浪の衝撃力が加えられても、コンクリートブロック６は安定して支持され、多少の移動があっても、波浪の衝撃力低下により旧位置に復帰することになる。
【実施例２】
【００３１】
この発明の他の実施例を図３について説明すると、実施例１の格子枠体５に、溝型鋼４、４と、山型鋼１１を配置して固着すれば、コンクリートブロック６は、Ｐ１、Ｐ２、Ｐ３の３点で支持される。
【００３２】
この実施例における支持点の位置及び重心の位置との関係は実施例１と同様であるから、その説明を省略する。
【図面の簡単な説明】
【００３３】
【図１】（ａ）この発明の実施例の格子枠の平面図、（ｂ）同じく正面図。
【図２】（ａ）同じくコンクリートブロックの支持状態を示す図、（ｂ）同じく横材の高さに関する実施例の一部説明図。
【図３】従来の実施例の格子枠の平面図。
【図４】従来の格子枠による支持状態を示す図。
【符号の説明】
【００３４】
１、２、３  Ｈ型鋼
４  溝型鋼
５  格子枠体
６  コンクリートブロック
１０  格子枠
１１  山型鋼
【図１】
2005179909.tif 000003
【図２】
2005179909.tif 000004
【図３】
2005179909.tif 000005
【図４】
2005179909.tif 000006